(57)【特許請求の範囲】
【請求項１】
相手方コネクタを挿入可能な挿入口を有したコネクタと、
露出口を有し前記コネクタを収納した筐体と、
前記挿入口が前記筐体内に位置し前記露出口から露出した第１位置と前記挿入口が前記第１位置よりも前記露出口に接近し前記露出口から露出した第２位置との間を前記コネクタが移動可能に前記コネクタを保持し前記筐体に対してスライドするスライダと、を備え、
前記スライダには、当該スライダに対してスライド可能な取っ手が設けられ、
前記取っ手は、前記スライダが前記第１位置にある場合に前記筐体内に収納された位置から前記露出口から突出した位置へスライド可能である、電子装置。
【請求項２】
前記スライダは、前記第１及び第２位置のそれぞれで前記筐体と係合する壁部を有している、請求項１の電子装置。
【請求項３】
前記スライダは、前記壁部が弾性変形することによりスライドが許容される、請求項２の電子装置。
【請求項４】
前記スライダには、前記取っ手が回転可能に取付けられており、
前記壁部は、前記取っ手と対向する突起を有し、
前記取っ手は、回転位置に応じて前記突起と当接することにより、前記壁部の前記弾性変形を制限する、請求項３の電子装置。
【請求項５】
相手方コネクタを挿入可能な挿入口を有したコネクタと、
露出口を有し前記コネクタを収納した筐体と、
前記挿入口が前記筐体内に位置し前記露出口から露出した第１位置と前記挿入口が前記第１位置よりも前記露出口に接近し前記露出口から露出した第２位置との間を前記コネクタが移動可能に前記コネクタを保持し前記筐体に対してスライドするスライダと、を備え、
前記スライダは、前記第１及び第２位置のそれぞれで前記筐体と係合する壁部を有し、前記壁部が弾性変形することによりスライドが許容され、
前記スライダには、取っ手が回転可能に取付けられており、
前記壁部は、前記取っ手と対向する突起を有し、
前記取っ手は、回転位置に応じて前記突起と当接することにより、前記壁部の前記弾性変形を制限する、電子装置。
【発明の詳細な説明】
【技術分野】
【０００１】
本発明は、電子装置に関する。
【背景技術】
【０００２】
コネクタを有した電子装置が知られている。特許文献１〜３には、コネクタを備えた電子装置が開示されている。
【先行技術文献】
【特許文献】
【０００３】
【特許文献１】特開２００１−１９５１５３号公報
【特許文献２】特開平１０−２４０４０５号公報
【特許文献３】特開平７−３１１８２７号公報
【発明の概要】
【発明が解決しようとする課題】
【０００４】
このようなコネクタは、相手方コネクタを挿入可能な挿入口を有している。コネクタの挿入口は、筺体に形成された露出口を介して露出している。防水性や防塵性を考慮して、露出口にカバーを設けたものがある。また、カバーの厚み等を考慮して、コネクタが露出口から若干離れた筐体の奥側に配置される場合がある。
【０００５】
このような露出口が筺体の側面に設けられている場合、露出口が小さい方が筺体を薄型化できる。また、防塵性や防水性を考慮すれば、このような露出口は小さいほうがよい。しかしながら露出口が小さいと、相手方コネクタの大きさによっては露出口に相手方コネクタを挿入できないおそれがある。従って、露出口の大きさは、相手方コネクタが大きい場合であっても挿入可能な程度に設定されている。このため、筺体の薄型化や防塵性、防水性の確保に一定の制約がある。
【０００６】
本発明は、筐体に収納されたコネクタを露出する露出口の大きさを抑制した電子装置を提供することを目的とする。
【課題を解決するための手段】
【０００７】
本明細書に開示の電子装置は、相手方コネクタを挿入可能な挿入口を有したコネクタと、露出口を有し前記コネクタを収納した筐体と、前記挿入口が前記筐体内に位置し前記露出口から露出した第１位置と前記挿入口が前記第１位置よりも前記露出口に接近し前記露出口から露出した第２位置との間を前記コネクタが移動可能に前記コネクタを保持し前記筐体に対してスライドするスライダと、を備えている。
【発明の効果】
【０００８】
筐体に収納されたコネクタを露出する露出口の大きさを抑制した電子装置を提供できる。
【図面の簡単な説明】
【０００９】
【図１】図１Ａは電子装置の斜視図であり、図１Ｂは電子装置の分解斜視図である。
【図２】図２は、筐体からパネルを取り外した電子装置の正面図である。
【図３】図３は、スライダの拡大図である。
【図４】図４は、コネクタを保持し取っ手が取付けられたスライダの拡大図である。
【図５】図５Ａ、５Ｂは、スライダの動きの説明図である。
【図６】図６は、スライダの動きの説明図である。
【図７】図７Ａ、７Ｂは、スライダの動きの説明図である。
【図８】図８は、スライダの動きの説明図である。
【図９】図９Ａ、９Ｂは、スライダの動きの説明図である。
【図１０】図１０は、スライダの動きの説明図である。
【図１１】図１１Ａ、１１Ｂは、スライダの動きの説明図である。
【図１２】図１２は、スライダの動きの説明図である。
【図１３】図１３Ａ、１３Ｂは、スライダの動きの説明図である。
【図１４】図１４は、スライダの動きの説明図である。
【図１５】図１５Ａ、１５Ｂは、スライダの動きの説明図である。
【図１６】図１６Ａは、第１位置にあるコネクタに相手方コネクタを挿入した状態を示した断面図であり、図１６Ｂは、第２位置にあるコネクタに相手方コネクタを挿入した状態を示した断面図である。
【図１７】図１７は、本実施例とは異なる構造を有した筐体内に配置されたコネクタに相手方コネクタを挿入した状態を示した断面図である。
【発明を実施するための形態】
【００１０】
図１Ａは電子装置１の斜視図であり、図１Ｂは電子装置１の分解斜視図である。電子装置１は例えば携帯電話である。電子装置１は、筐体１０、筐体１０を塞ぐパネル２０、筐体１０に対してスライド可能に支持されたスライダ３０、スライダ３０に保持されたコネクタ５０を含む。図１Ｂにおいては、筐体１０内に配置される電子部品は省略してある。筐体１０の側面には露出口１２が形成されている。パネル２０には画面２２が形成されている。画面２２は、例えば液晶画面であるが画像を表示可能であればこれに限定されない。また、パネル２０にはこのような画面が形成されていなくてもよい。
【００１１】
筐体１０の内側の露出口１２近傍に２つの支持部１３が形成されている。２つの支持部１３は、露出口１２から遠ざかるように筐体１０の内側面から突出している。支持部１３は、スライダ３０をスライド可能に支持するレールとして機能する。カバーＣは筐体１０の露出口１２を塞ぐ。カバーＣは例えばゴム製であるがこれに限定されない。カバーＣは、露出口１２を介して筐体１０内部に埃や水が浸入することを防止している。スライダ３０には取っ手４０が取付られている。
【００１２】
コネクタ５０は、略直方体の外形を有した筒状の本体５１を含む。本体５１の先端には挿入口５２が形成されている。本体５１の基端にはフレキシブルプリント基板（以下、ＦＰＣと称する）５８が取付られている。本体５１内には導通可能な金属片が配置されている。この金属片はＦＰＣ５８と電気的に接続されている。コネクタ５０は、相手方コネクタと接続可能である。相手方コネクタとは、例えばイヤホンのプラグである。コネクタ５０は、ジャックとも称される。コネクタ５０は、挿入口５２が筐体１０の露出口１２から露出するように配置される。コネクタ５０の挿入口５２に相手方コネクタの端子を挿入することにより、本体５１内の金属片とプラグが電気的に接続される。コネクタ５０は、メス型のコネクタに相当する。コネクタ５０に接続可能な相手方コネクタは、オス型のコネクタに相当する。筐体１０、パネル２０は、コネクタ５０を収納する単一の筐体に相当する。露出口１２は、コネクタ５０の挿入口５２を露出するために形成されている。
【００１３】
図２は、筐体１０からパネル２０を取り外した電子装置１の正面図である。尚、図２においては、カバーＣは取り外された状態を示している。パネル２０内には硬質のプリント基板６０が配置される。プリント基板６０には符号は付していないが複数の電子部品が実装されている。電子部品は、例えばＣＰＵ（Central Processing Unit）、ＲＯＭ（Read Only Memory）、ＲＡＭ（Random Access Memory）を含む。これら電子部品は携帯電話としての機能を実現する。例えば、これら電子部品はパネル２０の画面２２に画像を表示させる。プリント基板６０は、支持部１３に係合したスライダ３０と干渉しないようにスライダ３０周辺が切欠きされている。ＦＰＣ５８はプリント基板６０のパターンと電気的に接続されている。これにより、コネクタ５０の挿入口５２に相手方コネクタの端子を挿入すると、相手方コネクタとプリント基板６０のパターンとが電気的に接続される。本実施例では、挿入口５２にイヤホンのプラグを挿入すると、イヤホンから音が出力可能な状態となる。
【００１４】
図３は、スライダ３０の拡大図である。スライダ３０は例えば合成樹脂製であるがこれに限定されない。スライダ３０は、低壁部３１、低壁部３１の周縁に設けられた２つの側壁部３３及び基端壁部３５、を含む。左右の側壁部３３は同一形状である。コネクタ５０は低壁部３１上に配置される。コネクタ５０は、例えば、低壁部３１に形成された凹凸部とコネクタ５０に形成された凹凸部とが係合することによりスライダ３０に固定される構造であってもよい。また、コネクタ５０は、接着剤や両面テープによりスライダ３０の低壁部３１に固定されるものであってもよい。
【００１５】
基端壁部３５には、ＦＰＣ５８を逃がすための孔３５８が形成されている。スライダ３０には、支持部１３と係合する溝３３３、取っ手４０と係合する溝３３４が形成されている。溝３３３は、所定方向に延びている。これにより、スライダ３０は筐体１０の支持部１３により所定方向にスライド可能に支持される。側壁部３３の先端の外側面には係合部３３６が形成されている。係合部３３６は、側壁部３３の外側に突出している。側壁部３３のそれぞれには、内側面に２つの突部３３７が形成されている。隣接した突部３３７の間には凹部３３８が形成されている。溝３３３、３３４、凹部３３８は同一方向に延びている。スライダ３０は、詳しくは後述するが第１位置と第２位置との間をスライド可能である。尚、ＦＰＣ５８は、スライダ３０のスライドを許容する程度の長さを有している。ＦＰＣ５８の代わりにケーブルを用いてもよい。
【００１６】
図４は、コネクタ５０を保持し取っ手４０が取付けられたスライダ３０の拡大図である。取っ手４０は、例えばある程度弾性変形可能な金属製であるがこれに限定されない。取っ手４０は、略コ字状である。取っ手４０は、挿入口５２の正面側に位置する把持部４１、把持部４１から略直角に延びた腕部４２、スライダ３０の溝３３４に係合した端部４４、を含む。把持部４１は、挿入口５２の軸方向に略直交する方向に延びている。腕部４２は、挿入口５２の軸方向に略平行に延びている。挿入口５２の軸方向とは、即ちコネクタ５０の軸方向である。腕部４２は、コネクタ５０と側壁部３３との間に位置している。図４では見えていないが、２つの側壁部３３の溝３３４のそれぞれに、取っ手４０の２つの端部４４がそれぞれ係合している。溝３３４は、コネクタ５０の軸方向に延びている。このため、取っ手４０はスライダ３０に対して溝３３４の延びた方向にスライド可能である。
【００１７】
また、取っ手４０は端部４４を支点としてスライダ３０に対して回転可能である。図４に示した状態では、取っ手４０の腕部４２は、隣接する突部３３７間に形成された凹部３３８内に保持されており、突部３３７は取っ手４０の腕部４２に対向している。また、詳しくは後述するが、取っ手４０は、スライダ３０をスライドさせる機能、スライダ３０を第２位置でロックする機能を有している。
【００１８】
次に、スライダ３０の動きについて説明する。図５Ａ〜１５Ｂは、スライダ３０の動きの説明図である。図５Ａ、５Ｂは、コネクタ５０が不使用状態での説明図である。図５Ａは電子装置１の側面図、図５Ｂは図５ＡのＡ−Ａ断面図である。カバーＣは露出口１２を塞ぐように筐体１０に取付られている。スライダ３０の溝３３３に支持部１３が係合することにより、スライダ３０は支持部１３にスライド可能に支持されている。スライダ３０が筐体１０に完全に収納されている状態においては、スライダ３０は筐体１０の最も奥の位置に位置づけられている。この位置を、詳しくは後述するが第１位置と称する。第１位置では、２つの係合部３３６は、２つの第１被係合部（以下、被係合部と称する）１６とそれぞれ当接している。被係合部１６は、２つの支持部１３の根元にそれぞれ形成されている。
【００１９】
係合部３３６の面と被係合部１６の面とは、コネクタ５０の軸方向に対して傾斜している。係合部３３６の面と被係合部１６の面とは相補形状である。筐体１０の被係合部１６の面は、コネクタ５０の軸方向での筐体１０の内側から外側にかけてコネクタ５０に接近するように傾斜している。被係合部１６よりも筐体１０の外側に位置し露出口１２近くには第２被係合部（以下、係合部と称する）１７が形成されている。
【００２０】
図６、７Ａ、７ＢはカバーＣを取り外した電子装置１の説明図である。図６は斜視図、図７Ａは側面図、図７Ｂは図７ＡのＢ−Ｂ断面図である。この状態においては、コネクタ５０の挿入口５２は、筐体１０の露出口１２から突出しておらず、筐体１０の内部に位置している。また、挿入口５２は、露出口１２から露出する。図７Ａに示すように、取っ手４０の腕部４２は、隣接する突部３３７により画定される凹部３３８内で保持されている。これにより、取っ手４０は水平姿勢が維持され取っ手４０のがたつきが防止されている。また、側壁部３３の係合部３３６と筐体１０の被係合部１６とが当接している。これにより、スライダ３０の不用意なスライドが防止されている。また、図７Ａに示したように、この状態においては、取っ手４０の把持部４１がコネクタ５０の挿入口５２の前にあるため、コネクタ５０の挿入口５２に相手方コネクタを挿入できない。
【００２１】
図５Ｂ、６、７Ａ、７Ｂに示したスライダ３０、コネクタ５０は、第１位置に位置づけられている。第１位置とは、コネクタ５０の挿入口５２が筐体１０内に位置しているときのスライダ３０及びコネクタ５０の位置である。換言すれば、第１位置は、スライダ３０がスライド範囲の一端に位置しているときのスライダ３０及びコネクタ５０の位置である。第１位置においては、コネクタ５０の挿入口５２は筐体１０の露出口１２よりも内側に位置している。また、カバーＣを取外した状態においては、露出口１２から挿入口５２が露出している。尚、第２位置とは、第１位置よりもコネクタ５０の挿入口５２が露出口１２に接近したときのスライダ３０及びコネクタ５０の位置である。
【００２２】
図８、９Ａ、９Ｂは、取っ手４０を下げた状態での電子装置１の説明図である。図８は斜視図、図９Ａは側面図、図９Ｂは図９ＡのＣ−Ｃ断面図である。端部４４を支点として取っ手４０を回転させることができる。把持部４１が挿入口５２から退避するように取っ手４０を回転させると、腕部４２は突部３３７を超えて突部３３７の下方側に移動する。この際、取っ手４０の腕部４２は若干弾性変形する。これにより、コネクタ５０の挿入口５２に相手方コネクタを挿入できる。尚、この状態においても、係合部３３６と被係合部１６とが当接することにより、スライダ３０が第１位置から第２位置へ不用意にスライドすることが防止される。尚、図９Ａにおいては、取っ手４０は一方側に回転した状態を示しているが、他方側に回転させてもよい。
【００２３】
図１０、１１Ａ、１１Ｂは、取っ手４０を引き出した状態での電子装置１の説明図である。図１０は斜視図、図１１Ａは側面図、図１１Ｂは図１１ＡのＤ−Ｄ断面図である。図１０、１１Ａ、１１Ｂに示した状態は、図６、７Ａ、７Ｂに示した状態から取っ手４０を露出口１２から筐体１０の外側に引き出した状態である。取っ手４０の把持部４１を筐体１０の外側に引っ張ることにより、図１１Ｂに示すように取っ手４０が水平状態のまま端部４４が溝３３４内を移動する。これにより取っ手４０の把持部４１が露出口１２から外側に突出する。尚、この状態においても、側壁部３３の係合部３３６と筐体１０の被係合部１６とが当接している。
【００２４】
図１２、１３Ａ、１３Ｂは、更に取っ手４０を引き出してスライダ３０をスライドさせた状態での電子装置１の説明図である。図１２は斜視図、図１３Ａは側面図、図１３Ｂは図１３ＡのＥ−Ｅ断面図である。図１２、１３Ａ、１３Ｂに示した状態は、図１０、１１Ａ、１１Ｂに示した状態から更に取っ手４０を外側に引き出した状態である。図１０、１１Ａ、１１Ｂに示した状態から更に取っ手４０を引き出すと、側壁部３３が筐体１０の被係合部１６に押付けられて弾性変形してスライダ３０が筐体１０に対してスライドする。詳細には、側壁部３３の係合部３３６が被係合部１６に押付けられて摺接し、側壁部３３の先端部が内側に撓むように弾性変形する。即ち、側壁部３３はコネクタ５０側に撓むように弾性変形する。この際、取っ手４０の腕部４２は凹部３３８内に保持されているので、側壁部３３がコネクタ５０側に弾性変形しても、腕部４２は側壁部３３の弾性変形を妨げない。係合部３３６が被係合部１６から離脱して被係合部１７に当接するまで側壁部３３は弾性変形する。
【００２５】
図１３Ａ、１３Ｂに示すように、係合部３３６が被係合部１６から離脱して被係合部１７に係合する。被係合部１７は、角部に相当する。係合部３３６と被係合部１７とが係合した際には、支持部１３は溝３３３の端部に位置する。これにより、スライダ３０はそれ以上筐体１０の外側にスライドすることが制限される。このようにして、スライダ３０、コネクタ５０は第２位置に位置づけられる。第２位置とは、第１位置よりも挿入口５２が筐体１０の露出口１２に接近したスライダ３０、コネクタ５０の位置である。第２位置において、コネクタ５０の先端、即ち挿入口５２の先端は、露出口１２よりも外側に若干突出しているが、突出していなくてもよい。第２位置においても、挿入口５２は露出口１２から露出している。
【００２６】
尚、係合部３３６が被係合部１６から離脱して被係合部１７に係合する際には、側壁部３３の弾性復元力によって側壁部３３が元の状態に戻って被係合部１７と係合する。このため、側壁部３３が何らかの外力によって内側に押されたりして変形しない限り、係合部３３６と被係合部１７との係合が維持される。これにより、スライダ３０が不用意に第２位置から第１位置へとスライドすることを抑制している。
【００２７】
図１４、１５Ａ、１５Ｂは、第２位置でのスライダ３０のロックの説明図である。図１４は斜視図、図１５Ａは側面図、図１５Ｂは図１５ＡのＦ−Ｆ断面図である。第２位置において、取っ手４０の把持部４１を下方に回転させることにより、把持部４１はコネクタ５０の挿入口５２から退避して挿入口５２に相手方コネクタを挿入可能となる。
【００２８】
また、取っ手４０を回転させることにより、図１５Ａに示すように取っ手４０の腕部４２は凹部３３８から離脱して突部３３７の一方に当接する。これにより、側壁部３３の先端は内側、即ちコネクタ５０側に撓みにくくなる。例えば、図１３Ｂに示した状態で側壁部３３の先端が内側へ撓むと、係合部３３６が被係合部１７から離脱してスライダ３０が第２位置から第１位置へと不用意にスライドするおそれがある。本実施例では、第２位置において取っ手４０を回転させて腕部４２と突部３３７とを当接させることにより、側壁部３３の弾性変形を制限し係合部３３６と被係合部１７との係合を維持する。これにより、スライダ３０は第２位置でロックされる。特に、コネクタ５０の挿入口５２に相手方コネクタを挿入する際に、スライダ３０が押されて第２位置から第１位置へスライドすることが規制される。このように、取っ手４０の回転位置に応じて、側壁部３０の弾性変形が許容又は制限される。
【００２９】
尚、スライダ３０が第２位置からロックされた状態からスライダ３０を第１位置に戻すには、取っ手４０を図１３Ａ、１３Ｂに示したように水平状態に戻してロックを解除する。次に、取っ手４０を筐体１０の奥へとスライドさせる。次に、スライダ３０の２つの側壁部３３の先端を内側に押して弾性変形させて係合部３３６を被係合部１７から離脱させる。その状態で側壁部３３を筐体１０の奥へと押すことにより、スライダ３０が第１位置へに戻すことができる。
【００３０】
次に、相手方コネクタの挿入について説明する。図１６Ａは、第１位置にあるコネクタ５０に相手方コネクタ８０ａを挿入した状態を示した断面図である。図１６Ｂは、第２位置にあるコネクタ５０に相手方コネクタ８０ｂを挿入した状態を示した断面図である。相手方コネクタ８０ａ、８０ｂは、同一形状及び大きさの端子８４ａ、８４ｂをそれぞれ有している。端子８４ａ、８４ｂは、プラグとも称される。相手方コネクタ８０ａ、８０ｂは、端子８４ａ、８４ｂをそれぞれ保持した保持部８２ａ、８２ｂを有している。保持部８２ａ、８２ｂは例えば合成樹脂製である。保持部８２ａ、８２ｂは大きさが異なっている。図１６Ａ、１６Ｂに示すように、保持部８２ｂの方が保持部８２ａよりも大きい。詳細には、保持部８２ａは筐体１０の露出口１２に挿入可能な大きさである。保持部８２ｂは筐体１０の露出口１２に挿入不可能な大きさである。
【００３１】
従って、第１位置にあるコネクタ５０に相手方コネクタ８０ｂを接続しようとした場合、保持部８２ｂが筐体１０に干渉して端子８４ｂをコネクタ５０の奥まで挿入することはできない。しかしながら、第２位置にコネクタ５０が位置している場合には、コネクタ５０の挿入口５２は露出口１２に接近した位置にある。このため、保持部８２ｂは筐体１０に干渉せず、露出口１２及び相手方コネクタ８０ｂの保持部８２ｂの大きさに関わらずに相手方コネクタ８０ｂの端子８４ｂをコネクタ５０の挿入口５２に挿入可能となる。
【００３２】
次に、本実施例とは異なる構造を有した筐体１０ｘについて説明する。図１７は、本実施例とは異なる構造を有した筐体１０ｘ内に配置されたコネクタ５０ｘに相手方コネクタを挿入した状態を示した断面図である。筐体１０ｘ内には、固定された保持部材９０ｘ、保持部材９０ｘ上に固定されたコネクタ５０ｘが配置されている。筐体１０ｘの露出口１２ｘは、筐体１０の露出口１２よりも大きく、相手方コネクタ８０ｂの保持部８２ｂを挿入可能な程度の大きさに設定されている。相手方コネクタ８０ａのみならず相手方コネクタ８０ｂについてもコネクタ５０と接続可能とするために、相手方コネクタ８０ｂの保持部８２ｂの大きさを考慮して露出口１２ｘの大きさを設定したからである。このように露出口１２ｘが大きいため、筐体１０ｘの露出口１２ｘ周辺の厚みは、筐体１０ｘの他の部分の厚みに比べて厚さが増している。また、露出口１２ｘが大きいため、露出口１２ｘを介して筐体１０ｘ内部に埃や水が侵入しやす、防塵性、防水性が低下する恐れがある。
【００３３】
本実施例では、スライダ３０が第１及び第２位置間をスライド可能であるため、相手方コネクタ８０ｂの保持部８２ｂの大きさを考慮して露出口１２の大きさを設定する必要がない。このため、露出口１２の大きさを抑制することができる。露出口１２の大きさを抑制できるので、筐体１０の厚みを抑制でき、防塵性や防水性の低下を抑制できる。
【００３４】
また、本実施例では、図１６Ａに示したように、相手方コネクタの大きさによっては第１位置にあるコネクタ５０にも挿入可能である。従って、相手方コネクタの大きさによってはスライダ３０をスライドさせなくてもコネクタ５０と接続可能である。これは、第１位置においてもコネクタ５０の挿入口５２が筐体１０の露出口１２から露出しているからである。
【００３５】
本実施例では、スライダ３０とコネクタ５０とは別体である。このため、コネクタ５０が故障した際には、コネクタ５０のみを交換することもでき、交換の作業性が向上する。また、コネクタ５０を使用しない場合には、図５Ｂ等に示したようにコネクタ５０が筐体１０内に格納されるため、コネクタ５０への衝撃等も防止できる。
【００３６】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３７】
上記実施例のスライダ３０、取っ手４０、コネクタ５０は、携帯電話機以外の電子装置に設けてもよい。例えば、ノート型コンピュータ、携帯ゲーム機、携帯テレビ、携帯オーディオプレーヤ、電子辞書の携帯型の電子装置に設けてもよい。また、デスクトップ型コンピュータや家庭用テレビ、オーディオ等の据置型の電子装置に設けてもよい。露出口１２の大きさを小型化することができるので露出口１２が形成されている筺体の面の面積を小さくすることができる。これにより、筺体の薄型化又は小型化を達成することができる。
【００３８】
上記実施例においては、コネクタ５０は、イヤホンのジャックを挿入可能なプラグであるが、これに限定されない。例えば、コネクタ５０は、充電用の端子を接続可能なものであってもよい。コネクタ５０は、ＩＥＥＥ１３９４（Institute of Electrical and Electronic Engineers 1394）コネクタや、ＵＳＢ（Universal Serial Bus）コネクタ、Ｄ−Ｓｕｂ（D-Subminiature）コネクタ、ＨＤＭＩ（High-Definition Multimedia Interface）端子、ＬＡＮ（Local Area Network）コネクタ、ＡＣ（Alternating Current）電源用のコネクタであってもよい。また、コネクタ５０はマイク用の入力端子を接続可能なものであってもよい。
【００３９】
上記実施例においては、コネクタ５０の一例としてイヤホン用のコネクタについて説明したが、コネクタ５０は、直径６．３ｍｍ、３．５ｍｍ、２．５ｍｍの何れかの接続端子を有したプラグを挿入可能なのものであればよい。
【００４０】
上記実施理例においてコネクタ５０の一例としてメス型のコネクタについて説明したが、オス型のコネクタであってもよい。
【００４１】
上記実施例において、筐体１０と筐体１０を塞ぐパネル２０とにより単一の筐体を画定するがこのような構成に限定されない。例えば、３以上の複数の部材が組み合わされて形成された単一の筐体であってもよいし、単一の種類の材料によって形成された筐体であってもよい。
【００４２】
上記実施例においては、スライダ３０をスライドさせるためのバネ等の付勢部材又はモータを設けてもよい。
【符号の説明】
【００４３】
１０  筐体
１２  露出口
１３  支持部
１６  第１被係合部
１７  第２被係合部
２０  パネル
３０  スライダ
３１  低壁部
３３  側壁部
３５  基端壁部
３３３、３３４  溝
３３６  係合部
３３７  突部
４０  取っ手
４１  把持部
４２  腕部
４４  端部
５０  コネクタ
５１  本体
５２  挿入口
５８  フレキシブルプリント基板
【図１】
0005626053.tif 000002
【図２】
0005626053.tif 000003
【図３】
0005626053.tif 000004
【図４】
0005626053.tif 000005
【図５】
0005626053.tif 000006
【図６】
0005626053.tif 000007
【図７】
0005626053.tif 000008
【図８】
0005626053.tif 000009
【図９】
0005626053.tif 000010
【図１０】
0005626053.tif 000011
【図１１】
0005626053.tif 000012
【図１２】
0005626053.tif 000013
【図１３】
0005626053.tif 000014
【図１４】
0005626053.tif 000015
【図１５】
0005626053.tif 000016
【図１６】
0005626053.tif 000017
【図１７】
0005626053.tif 000018